(57)【要約】【課題】エアフィルターによって除去された除去物を容易に取り除くことができる換気装置及び同換気装置に使用するフィルターユニットを提供する。【解決手段】屋外５から室内６へ外気を取り込む給気系統３と室内６の空気を屋外５に排出する排気系統４が分離されており、吸気系統３の一部に設けられたフィルターユニット７に、脱着可能なエアフィルター２２が取り付けられている。エアフィルター２２で仕切られた給気系統３の屋外側にエアフィルター２２で分別された除去物が溜まる滞留部２７が設けられており、屋外５から外気取入口１０を介して入ってくる埃や花粉、虫などがエアフィルター２２分別されて滞留部２７に貯められるため、効果的に不要物を除去することができる。  また、フィルターユニットには滞留部に溜まった除去物を外部へ排出する除去口２４を有する【選択図】    図１
2010139128.tif 000002
【特許請求の範囲】
【請求項１】
屋外から室内へ外気を取り込み、室内の空気を屋外に排出する建物の換気装置であって、屋外から室内へ外気を取り込む給気系統と室内の空気を屋外に排出する排気系統が分離され、給気系統の一部にフィルターユニットが設けられ、該フィルターユニットには、脱着可能なエアフィルターが取り付けられ、該エアフィルターで仕切られた給気系統の屋外側に該エアフィルターで分別された除去物が溜まる滞留部が設けられ、該滞留部に溜まった除去物を外部へ排出する除去口を有することを特徴とする換気装置。
【請求項２】
前記フィルターユニットが室内に設置されている請求項１に記載の換気装置。
【請求項３】
請求項１に記載の換気装置で使用するフィルターユニット。  
【発明の詳細な説明】
【技術分野】
【０００１】
本発明は、メンテナンス性を高めた換気装置及び同換気装置に使用するフィルターユニットに関する。
【背景技術】
【０００２】
近年、建物の高気密化、高断熱化に従い、室内を換気する換気装置が設けられている。換気装置には屋外より、埃や花粉、虫などが室内に侵入することを不防ぐため、エアフィルターが設けられている。
【０００３】
【特許文献１】特開２００７−１８７４０８号公報
【発明の開示】
【発明が解決しようとする課題】
【０００４】
換気装置は一般に天井裏に配置されるため、エアフィルターのメンテナンス時には、天井側に設けられた点検口からエアフィルターの清掃が行われている。この作業は脚立を用いての高所作業となるため危険である。また、外気取入口から進入するユリイカなどの小さな虫の居室内への侵入はエアフィルターが防ぐが、清掃時に、死骸もしくは生きている虫を除去することが非常に不快な作業となっている。
【０００５】
本発明は、以上のような問題点に鑑み、エアフィルターによって除去された除去物を容易に取り除くことができる換気装置及び同換気装置に使用するフィルターユニットを提供することを課題とする。
【課題を解決するための手段】
【０００６】
上記の課題は、屋外から室内へ外気を取り込み、室内の空気を屋外に排出する建物の換気装置であって、屋外から室内へ外気を取り込む給気系統と室内の空気を屋外に排出する排気系統が分離され、給気系統の一部にフィルターユニットが設けられ、該フィルターユニットには、脱着可能なエアフィルターが取り付けられ、該エアフィルターで仕切られた給気系統の屋外側に該エアフィルターで分別された除去物が溜まる滞留部が設けられ、該滞留部に溜まった除去物を外部へ排出する除去口を有することを特徴とする換気装置により解決される。
【０００７】
この換気装置では、屋外から室内へ外気を取り込む給気系統と室内の空気を屋外に排出する排気系統が分離されており、吸気系統の一部に設けられたフィルターユニットに、脱着可能なエアフィルターが取り付けられ、エアフィルターで仕切られた給気系統の屋外側にエアフィルターで分別された除去物が溜まる滞留部が設けられているため、屋外から外気取入口を介して入ってくる埃や花粉、虫などがエアフィルターで分別されて滞留部に貯められるため、効果的に不要物を除去することができる。
【０００８】
また、フィルターユニットには滞留部に溜まった除去物を外部へ排出する除去口を有するため、滞留部に溜まった除去物を除去口を通じて、除去することができる。特に、除去口から掃除機で除去物を吸い取ることによって、除去物に直接触れることなく、また目視することなく、清掃できるため、エアフィルターの清掃時に不快な思いをすることもなくなる。
【０００９】
また、上記の換気装置において、フィルターユニットが室内に設置されているとよい。
【００１０】
フィルターユニットが室内に設けられていることで、フィルターユニットの清掃やエアフィルターの交換を容易に行うことができる。
【００１１】
また、本発明の課題は、上記の換気装置で使用するフィルターユニットによっても解決される。
【発明の効果】
【００１２】
本発明は以上のとおりであるから、エアフィルターによって除去された除去物を容易に取り除くことができる換気装置及び同換気装置に使用するフィルターユニットを提供することができる。
【発明を実施するための最良の形態】
【００１３】
次に、本発明の実施最良形態を図面に基づいて説明する。
【００１４】
図１に示す本発明の実施形態の換気装置１において、２は換気装置が設置される建物、３は換気装置１の給気系統、４は同排気系統、７はフィルターユニット、１１、１２はそれぞれ給気系統３及び排気系統４において空気を送風するファンである。
【００１５】
フィルターユニット換気装置１の給気系統３と排気系統４はそれぞれ別系統となるように分離している。給気系統３は給気系統中間部に取り付けられたファン１１を駆動させることにより、建物外壁側面に設置された外気取入口１０から取り込まれた屋外５の空気を天井裏に設置された配管を通じて居室６内へ取り込む。
【００１６】
給気系統３には、屋外５から取り込まれた空気内の不要物を除去するためのフィルターユニット７が設けられている。フィルターユニット７は居室６内の壁面高所に設けられ、建物外壁側面に設置された外気取入口１０と配管８で接続され、配管９により、フィルターユニット７より下流に設置されるファン１１と接続される。図１（ロ）中、１６は幕板であり、フィルターユニット７と居室内天井面１５の隙間を隠すために設置される。
【００１７】
一方、排気系統４は、居室６内の天井に取り付けられた排気ファンを内蔵した天井扇１２から居室６内の空気を取り込み天井裏に設置された配管を通じて軒先天井１３に設けられた排気口１４から屋外５に排出される。
【００１８】
図２に示すように、フィルターユニット７の構造は、フィルターユニット側方部に設けられ、建物外壁側面に設置された外気取入口１０に接続するフィルターユニット給気口２０と、フィルターユニット上方部に設けられ、天井に設けられた配管９に接続するフィルターユニット排気口２１を有し、フィルターユニット給気口２０とフィルターユニット排気口２１に接続するフィルターユニット中央部２６には、エアフィルター２２が取り付けられている。エアフィルター２２はフィルターユニットから取り外し可能となっており、取り外して清掃したり交換したりすることができる。エアフィルター２２は、フィルターユニット給気口２０側の面を下方に向けて傾斜して取り付けられる。
【００１９】
フィルターユニット中央部２６は下方に向かって擂り鉢状で、その下端部は滞留部２７となっており、エアフィルター２２によって分別された除去物を溜めることができる。また滞留部２７はフィルターユニット７の室内側側面部に設けられた除去口２４と連続しており、滞留部２７に溜まった除去物は、除去口２４から外部へ排出することができる。除去口の大きさを掃除機のノズルが挿入できる大きさにしておくことで、除去口２４に掃除機のノズル３０を挿入して、掃除機２９を作動させることで、滞留部２７に溜まった除去物を、除去物に直接触れることなく、また目視することなく、取り除くことができる。なお、２５は、清掃しない通常時に除去口２４を封止する蓋である。
【００２０】
フィルターユニット換気装置１の給気系統３と排気系統４はそれぞれ別系統となるよう分離しているため、給気系統３の空気の流れは屋外５から居室６への流れとなり、屋外５から取り込まれた空気中に含まれる埃や花粉だけでなく、外気取入口１０から侵入した虫などをフィルターユニット７内のエアフィルター２２により分別され、除去物の一部はエアフィルター２２に付着し、また一部フィルターユニット７の滞留部２７に滞留する。
【００２１】
滞留部２７に溜まった除去物は、除去口２４を介して外部に排出され、特に除去口２４に、掃除機２９のノズル３０を挿入し掃除機２９を作動させることで、清掃者は、フィルターユニット７により除去された除去物に直接ふれることなく、また目視することなく、清掃することができるため、清潔に、不快な思いをすることなく清掃することができる。特に、フィルターユニット７で除去される死骸もしくは生きている虫を清掃するときは、より効果を発揮することができる。
【００２２】
フィルターユニット中央部２６は下方に向かって擂り鉢状になっており、その下端部が滞留部２７となっているため、フィルター２２で分別された除去物は滞留部２７に集められるため、清掃する者は除去口２４より掃除機のノズルを挿入するだけで、滞留部２７に溜まった除去物を排出することができるため、除去物の溜まっている箇所に併せて掃除機のノズルを動かす必要もなく容易に清掃を行うことができる。
【００２３】
また、フィルターユニット７が居室内の壁面に設けられているため、除去物の排出やフィルター２２の交換を容易に行うことができる。
【００２４】
図３に示す本発明の第２実施形態の換気装置に用いるフィルターユニット３１において、３２は、エアフィルター２２で分別された除去物がフィルターユニット下方部で受ける受け皿である。他の構成は第１実施形態と同様である。
【００２５】
フィルター２２で分別された除去物は下方へ落ち、フィルターユニット下方に取り付けられた受け皿３２の上面に堆積する。清掃者は、受け皿３２を取り出し、受け皿３２に上面に堆積した除去物を廃棄もしくは、受け皿３２を交換するだけで、フィルターユニット３１の清掃を完了することができる。
【００２６】
以上に、本発明の実施形態を示したが、本発明はこれに限られるものではなく、発明思想を逸脱しない範囲で各種の変更が可能である。例えば、上記の実施形態では、フィルターユニット給気口とフィルターユニット排気口がフィルターユニットのそれぞれ、側方部と上方部に設けられている場合について示したが、フィルターユニット給気口とフィルターユニット排気口が設けられる位置に制限はなく、ともにフィルターユニット側方部に設けられてもよいし、その他の組み合わせであってもよい。
【００２７】
また、エアフィルターに設置状態についても、センターユニット給気口側を下方に向けて傾斜していることに限定されず、垂直に取り付けられてもよいし、水平に取り付けられてもよい。また、エアフィルターの形状も平面状に限定されることもない。
【００２８】
また、上記の実施形態では、除去口から掃除機のノズルを挿入して滞留部に溜まった除去物を外部へ排出する場合について示したが、除去口は掃除機のノズルが挿入できる径である必要ななく、掃除機のノズルを挿入することなく、除去口に取り付けることで、滞留部に溜まった除去物を吸い取るようになっていてもよい。
【図面の簡単な説明】
【００２９】
【図１】図（イ）は本発明の換気装置が取り付けられた建物の断面正面図、(ロ)はフィルターユニットを拡大して示す拡大正面図である。
【図２】図（イ）はフィルターユニットの断面正面図、図（ロ）（ハ）はそれぞれエアーフィルターを取り外した状態、掃除機で除去物を取り除いている状態を示す断面正面図である。
【図３】本発明の他の実施例を示す断面正面図である。
【符号の説明】
【００３０】
１・・・フィルターユニット換気装置１
２・・・建物
３・・・給気系統
４・・・排気系統
５・・・屋外
６・・・居室
７・・・フィルターユニット
１１・・・ファン
１２・・・ファン（天井扇）
２２・・・エアフィルター 
２４・・・除去口
２５・・・封止栓
２７・・・滞留部
【図１】
2010139128.tif 000003
【図２】
2010139128.tif 000004
【図３】
2010139128.tif 000005